(57)【要約】本発明の男性用尿失禁防止クリップは、男性性器の上部に対応して位置する上フレームと、男性性器の下部に対応して位置する下フレームと、上フレームと下フレームの一側に連結され、上フレームと下フレームが広がる方向に弾性力を提供する連結部を備えたクリップ本体、上フレームの内側と下フレームの内側にそれぞれ備えられたクッション部、及び、前記クリップ本体の両端に形成されて相互締結されるロック部、を含み、前記上フレームは男性性器の血管を圧迫しないように形成され、前記下フレームは男性性器の尿道を圧迫するように形成されたことを特徴とする。【選択図】図２
2019516478.tif 000002
【特許請求の範囲】
【請求項１】
男性性器の上部に対応して位置する上フレームと、男性性器の下部に対応して位置する下フレームと、上フレームと下フレームの一側に連結され、上フレームと下フレームが広がる方向に弾性力を提供する連結部を備えたクリップ本体、上フレームの内側と下フレームの内側にそれぞれ備えられたクッション部、及び
前記クリップ本体の両端に形成されて相互結合されるロック部、を含み、
前記上フレームは男性性器の血管を圧迫しないように形成され、前記下フレームは男性性器の尿道を圧迫するように形成されたことを特徴とする男性用尿失禁防止クリップ。
【請求項２】
前記連結部には、追加の弾性力を提供するように、連結部の間に提供されたＶ字形の折曲部がさらに備えられたことを特徴とする、請求項１に記載の男性用尿失禁防止クリップ。
【請求項３】
前記ロック部は、上フレームと下フレームのうちいずれか一方に形成された引掛り部材と、他の一方に引掛り部材と整合するように引掛り突起が形成されたロック片で構成されたことを特徴とする、請求項１に記載の男性用尿失禁防止クリップ。
【請求項４】
前記引掛り突起には、少なくとも一つの突出仕切りが形成され、前記引掛り部材には突出仕切りに整合する一つのＶ字形の溝が形成されたことを特徴とする、請求項３に記載の男性用尿失禁防止クリップ。
【請求項５】
前記引掛り突起が多段で形成されたことを特徴とする、請求項３に記載の男性用尿失禁防止クリップ。
【請求項６】
前記突出仕切りを引掛り突起の両端部に二つ設置し、前記引掛り部材の先端部には前記二つの突出仕切りの間に挿入されるように突出部を形成したことを特徴とする、請求項３に記載の男性用尿失禁防止クリップ。
【請求項７】
前記クッション部は、厚さを異にした複数のクッション部で構成され、使用者の圧迫強度に応じて交換して使用することを特徴とする、請求項１に記載の男性用尿失禁防止クリップ。
【請求項８】
前記上フレームの中央には弧形の第１凹部が形成され、前記下フレームの中央には第１加圧突起が形成されたことを特徴とする、請求項１に記載の男性用尿失禁防止クリップ。
【請求項９】
前記上フレームに備えられたクッション部には弧形の第２凹部が形成され、前記下フレームに備えられたクッション部には第２加圧突起が形成されたことを特徴とする、請求項８に記載の男性用尿失禁防止クリップ。
【発明の詳細な説明】
【技術分野】
【０００１】
本発明は、男性用尿失禁防止クリップに関する。さらに詳しくは、尿失禁の男性患者の尿道を加圧して、尿が尿道を通って排出されることを簡便に防ぐことができるように構成した男性用尿失禁防止クリップに関する。
【背景技術】
【０００２】
尿失禁とは、自分の意志とは無関係に排尿するようになる現象であり、尿道を囲んでいる括約筋の力によって尿道の調整がなされるようになり、括約筋の力が足らないと本人の意志とは関係なく尿が膀胱にたまらず流れ出ることをいう。
【０００３】
最近は平均寿命が延びて老年層が増加し、尿失禁の発病率が増加している。特に男性の尿失禁は、前立腺の手術の副作用として現われる場合が手術患者の半分を超え、５０歳を過ぎると老衰とともに括約筋の力も弱くなって尿失禁患者が増えている傾向である。
【０００４】
尿失禁の治療は、尿道を圧迫する装置を体内に挿入する手術などが行われているが、再発するなど完全ではなく、また手術を忌避する傾向から大部分が尿失禁パッドや尿失禁パンツを利用している。
【０００５】
しかし、パッドや尿失禁パンツを使用する場合、随時に交換しなければならなず、パッドは常に濡れていて、濡れているパッドと接触する皮膚は弱くなって皮膚が荒れるなど頻繁に傷がつき、臭いにより対人忌避症まで生じて生活の質を落とすようになる。
【０００６】
特に、ひどい場合はパッドを交換することができず上着まで濡れる目にあったりもする。
【０００７】
このような問題点を解決するために、実開昭５５−０７０１１１号公報では、尿道を圧迫するための手段として、クリップの上下フレームをヒンジで連結し、フレームの両端にバンドとバンドを掛ける環を作ってバンドを環に掛けて引っぱって固定する構造を開示している。
【０００８】
本発明者により考案された韓国登録実用新案第２０−４７４１８１号公報では、ヒンジの代わりに合成樹脂フレームの固有の弾性力を利用することができる連結部を提供し、上フレームの端部に引掛り部材を形成し、この引掛り部材と整合する多数の引掛り突起を下フレームの端部に提供している。したがって合成樹脂の一体型で構成されて、クリップを分離する際に、上下フレームをＵ字形に連結する弾性力を利用している。上フレームの引掛り部材を多段の引掛り突起に押しつけ、必要に応じて１段ないし５段のうちの一つに結合する便利な一体型構造である。
【０００９】
しかし、上述した実用公報で製作されたクリップを本発明者が使用してみたところ、クリップの使用頻度が高いほどＵ字形部分の弾性が落ちて、陰茎を挿入しこれを分離するのに不便である。また、上下フレームを結合して着用中に、身体の動きや運動によって上下フレームの引掛り部材と引掛り突起の部分が横にずれて分離し、溜まっていた尿が一度に
排出されてしまう大きい短所がある。
【００１０】
したがって、以上のような短所を補完した改善された形態の尿失禁クリップの開発が要求されている実情である。
【先行技術文献】
【特許文献】
【００１１】
【特許文献１】実開昭５５−０７０１１１号公報
【特許文献２】韓国登録実用新案第２０−４７４１８１号公報
【発明の概要】
【発明が解決しようとする課題】
【００１２】
本発明は、上述した従来の諸般の問題点を解決するために案出されたもので、本発明の目的は、本発明者によって考案された韓国登録実用新案公報第２０−４７４１８１号の尿失禁防止クリップでの問題点、すなわち使用頻度が高いほどＵ字形連結部の弾力が失われ開口部が狭くなる問題点と、使用中に尿道を圧迫しなければならない上下フレームの結合が横にずれて解除される問題点を解決するために発明されたものであり、尿失禁をわずらう男性患者が容易かつ便利に着用することができ、使用中に尿の排出を未然に防止することができるように構成した男性用尿失禁防止クリップを提供することにある。
【００１３】
また、本発明の他の目的は、陰茎の静脈及び動脈を圧迫しないように構成して、陰茎への血液の循環障害を予防することができる男性用尿失禁防止クリップを提供することにある。
【００１４】
また、本発明のまた他の目的は、陰茎の尿道部位を追加的に圧迫する男性用尿失禁防止クリップを提供することにある。
【課題を解決するための手段】
【００１５】
前記のような目的を達成するための本発明の男性用尿失禁防止クリップは、男性性器の上部に対応して位置する上フレームと、男性性器の下部に対応して位置する下フレームと、上フレームと下フレームの一側に連結され、上フレームと下フレームが広がる方向に弾性力を提供する連結部を備えたクリップ本体、上フレームの内側と下フレームの内側にそれぞれ備えられたクッション部、及び、前記クリップ本体の両端に形成されて相互結合されるロック部、を含み、前記上フレームは男性性器の血管を圧迫しないように形成され、前記下フレームは男性性器の尿道を圧迫するように形成されたことを特徴とする。
【００１６】
また、前記連結部には、追加の弾性力を提供するように、連結部の間に提供されたＶ字形の折曲部がさらに備えられたことを特徴とする。
【００１７】
また、前記ロック部は、上フレームと下フレームのうちいずれか一方に形成された引掛り部材と、他の一方に引掛り部材と整合するように引掛り突起が形成されたロック片で構成されたことを特徴とする。
【００１８】
また、前記引掛り突起には、少なくとも一つの突出仕切りが形成され、前記引掛り部材には突出仕切りに整合する一つのＶ字形の溝が形成されたことを特徴とする。
【００１９】
また、前記引掛り突起が多段で形成されたことを特徴とする。
【００２０】
また、前記突出仕切りを引掛り突起の両端部に二つ設置し、前記引掛り部材の先端部には前記二つの突出仕切りの間に挿入されるように突出部を形成したことを特徴とする。
【００２１】
また、前記クッション部は、厚さを異にした複数のクッション部で構成され、使用者の圧迫強度に応じて交換して使用することを特徴とする。
【００２２】
また、前記上フレームの中央には弧形の第１凹部が形成され、前記下フレームの中央には第１加圧突起が形成されたことを特徴とする。
【００２３】
また、前記上フレームに備えられたクッション部には弧形の第２凹部が形成され、前記下フレームに備えられたクッション部には第２加圧突起が形成されたことを特徴とする。
【発明の効果】
【００２４】
本発明による男性用尿失禁防止クリップによれば、ワンタッチ方式で着用及び脱着が可能なように構成されており、一体型構成で製作が簡便であるという長所がある。
【００２５】
また、本発明による男性用尿失禁防止クリップは、激しい運動中にも上下フレームが外れることがないので、使用者の不安感を解消することができる。
【００２６】
また、本発明による男性用尿失禁防止クリップは、加圧力を調節することができ、尿失禁の男性患者の状態に応じて加圧力を変えて着用することができるという長所がある。
【００２７】
また、本発明による男性用尿失禁防止クリップは、陰茎の静脈及び動脈を圧迫しないように人体解剖学的に構成して陰茎への血液の循環障害を予防することができる。
【００２８】
また、本発明による男性用尿失禁防止クリップは、陰茎の尿道部位を追加的に圧迫して尿失禁にさらに効率的である。
【図面の簡単な説明】
【００２９】
【図１】本発明による男性用尿失禁防止クリップを現わした斜視図で、ロックされた状態を示した図である。
【図２】図１に示された男性用尿失禁防止クリップをロックする前の状態を示した図である。
【図３】図１に示された男性用尿失禁防止クリップの側面図である。
【図４】本発明の二つの実施例の引掛り突起を示し、（ａ）は溝の中央に提供された突出仕切りを示し、（ｂ）は両側に設置された二つの突出仕切りを示した図である。
【図５】図４の（ａ）の実施例の斜視図である。
【図６】図４の（ｂ）の実施例の斜視図である。
【図７】本発明の他の実施例による男性用尿失禁防止クリップを現わした斜視図で、ロックされた状態を示した図である。
【図８】図７に示された男性用尿失禁防止クリップをロックする前の状態を示した図である。
【図９】図７に図示された男性用尿失禁防止クリップの使用状態図である。
【発明を実施するための形態】
【００３０】
以下、本発明の望ましい実施例を添付の図面を参照して詳細に説明する。
【００３１】
図１は本発明による男性用尿失禁防止クリップを現わした斜視図で、ロックされた状態を示し、図２は図１に示された男性用尿失禁防止クリップをロックする前の状態を示し、図３は図１に示された男性用尿失禁防止クリップの側面図を示し、図４は本発明の二つの実施例の引掛り突起を示し、（ａ）は溝の中央に提供された突出仕切りを示し、（ｂ）は両側に設置された二つの突出仕切りを示し、図５は図４の（ａ）の実施例の斜視図で、図６は図４の（ｂ）の実施例の斜視図であり、図７は本発明の他の実施例による男性用尿失禁防止クリップを現わした斜視図で、ロックされた状態を示し、図８は図７に示された男性用尿失禁防止クリップをロックする前の状態を示し、図９は図７に示された男性用尿失禁防止クリップの使用状態図である。
【００３２】
図１に示すように、男性用尿失禁防止クリップ１００は、上部と下部に対応して位置し一体に構成されたクリップ本体１１０と、クリップ本体１１０の内部に固定され男性性器と接するクッション部１２０と、クリップ本体１１０の両端に形成され相互結合されてロックするかロック解除されるロック部１３０を含む。
【００３３】
以下では、このように構成された男性用尿失禁防止クリップについて具体的に説明する。
【００３４】
クリップ本体１１０は、相互向い合って位置する上フレーム１１１と下フレーム１１３、及び、上フレーム１１１と下フレーム１１３の一側が相互連結された連結部１１５を含み、上フレーム１１１と下フレーム１１３及び連結部１１５は、一体型構造で一つの本体に形成される。
【００３５】
ここで連結部１１５は、上フレーム１１１と下フレーム１１３が広がるように弾性力を提供する。したがって、上フレーム１１１と下フレーム１１３を近接させた状態で上フレーム１１１の他側と下フレーム１１３の他側がロック部１３０によってロックされたときに弾性復元力を発生し、連結部１１５で提供する弾性復元力により、ロック部１３０がロック解除されると上フレーム１１１と下フレーム１１３は相互遠ざかる方向に広がる。
【００３６】
追加の弾性力を提供するために、連結部１１５の中央にＶ字形の折曲部１１６を提供する。Ｖ字形で広い方が内側に配置されていて、上下フレーム１１１、１１３の曲り力と弾性力を補強し、男性用尿失禁防止クリップを長く使用しても上下フレームの開放と曲るための弾性を失わない。
【００３７】
また上フレーム１１１と下フレーム１１３は、ロックされた状態で弾性変形しない程度の剛性を有する。したがって、次に説明しているが、クッション部１２０の間に男性性器（陰茎）を位置しロック部１３０でロックしても、クッション部１２０が男性性器を上部と下部で加圧することができる程度の剛性を維持する。
【００３８】
一方、上フレーム１１１と下フレーム１１３の他側にはロック部１３０が形成される。
【００３９】
図２に示すように、上フレーム１１１の他側端部には引掛り部材１３１が形成され、下フレーム１１３の他側端部にはロック片１３３が形成され、引掛り部材１３１がロック片１３３に引っ掛かって上フレーム１１１と下フレーム１１３がロックされる。
【００４０】
ここでロック片１３３は、引掛り部材１３１に向かって上向きに折曲され、内側面には引掛り突起１３５が多段で形成される。引掛り突起１３５らの間は、引掛り部材１３１の厚さよりも広い間隔を維持し、上フレーム１１１と下フレーム１１３がロックされた際に引掛り部材１３１が引掛り突起１３５の間に整合されてロックされる。
【００４１】
したがって、図２及び図３に示すように、引掛り突起１３５のうち下段に位置した引掛り突起１３５に引掛り部材１３１が整合すれば連結部１１５の弾性復元力が大きく、反対に上段に位置した引掛り突起１３５に引掛り部材１３１が整合すれば連結部１１５の弾性復元力が弱くなる。したがって、尿失禁の男性患者は、ロック部１３０を用いて上フレーム１１１と下フレーム１１３をロックするにおいて、性器１を加圧する加圧力を調節することができる。そしてロックされた状態からロック解除をするためには、ロック片１３３を外側方向に押すと引掛り部材１３１が引掛り突起１３５から離脱するようになってロック解除され、連結部１１５の弾性復元力によって上フレーム１１１と下フレーム１１３が広がる。
【００４２】
図４ないし図６に示したように、使用中に上下フレームが横にずれて上フレームの引掛り部材と下フレームの引掛り突起の結合が外れないように、下フレームの引掛り突起間の溝の間に少なくとも一つ以上の突出仕切り１３８を作り、ここに整合する上フレームの引掛り部材の先端部にＶ字形の溝１３９を提供する（図１ないし図５参照）。変更実施例で、下フレームの引掛り突起間の溝の間に二つ以上の突出仕切り１３８を作り、突出仕切り１３８の間に整合することができる突出部１３１’を提供することができる（図６参照）。
【００４３】
図示したように、引掛り突起１３５は多段で形成されている。したがって加圧力を調節することができ、尿失禁の男性患者の状態に応じて加圧力を変えて着用することができる。
【００４４】
一方、上フレーム１１１の内側と下フレーム１１３の内側にはクッション部１２０が位置する。クッション部１２０は、ウレタン、シリコン、ラテックスのうち一つであることができ、好ましくは人体と類似した材質のシリコンフォームで形成されたものが望ましい。またクッション部１２０の厚さは使用者によって選択されることができる。
【００４５】
追加で、上述した引掛り突起１３５の多段でクリップの圧迫強度を調整することができない際には、クッション部１２０を交換して使用することができる。例えば、強い圧迫が必要な場合に厚いクッション部１２０を使用し、弱い圧迫が必要な場合には薄いクッション部１２０を使用することができる。
【００４６】
そして図２に示すように、上フレーム１１１の外側面に形成された突起１１１Ａは、上フレーム１１１を下フレーム１１３の方向に押す際に指が滑らないように形成した滑り防止部材である。ここで滑り防止部材は、上フレーム１１１の外側面だけでなく、図面には示されていないが下フレーム１１３の外側面にも形成されることができる。
【００４７】
本発明の使用方法については、本発明者によって考案された韓国登録実用新案第２０−４７４１８１号公報で開示されているのでこれを参考に願い、ここでは詳細な説明は省略する。
【００４８】
以下、本発明による男性用尿失禁防止クリップの他の実施例を説明するにおいて、上述した構成と機能を有する構成については同一の構成符号を使用し、それについての詳細な説明は省略する。
【００４９】
図７ないし図９に示すように、本発明の他の実施例による男性用尿失禁クリップ１００’は、男性性器の上部に対応して位置する上フレーム１１１と、男性性器の下部に対応して位置する下フレーム１１３と、上フレーム１１１と下フレーム１１３の一側に連結され、上フレーム１１１と下フレーム１１３が広がる方向に弾性力を提供する連結部１１５を備えたクリップ本体１１０と、上フレーム１１１の内側と下フレーム１１３の内側にそれぞれ備えられたクッション部１２０で構成される。
【００５０】
上フレーム１１１の中央には弧形の第１凹部１４０が形成され、前記下フレームの中央には第１加圧突起１５０が突出形成される。
【００５１】
上フレーム１１１に備えられたクッション部２００には弧形の第２凹部２１０が形成され、前記下フレーム１１３に備えられたクッション部２００には第２加圧突起２２０が形成される。
【００５２】
これにより、図９のように、第１、２凹部１４０、２１０によって陰茎の静脈及び動脈を圧迫しないように構成して、陰茎への血液の循環障害を予防することができるようになる。
【００５３】
それだけでなく、第１、２加圧突起１５０、２２０によって陰茎の尿道部位を追加的に圧迫して尿失禁を予防するようになる。
【００５４】
一方、前記第１加圧突起１５０の両側面に弧形に形成された２つの第１弾性部１６０が形成され、前記第２加圧突起２２０の両側面に弧形に形成された２つの第２弾性部２３０が形成されており、前記第１、２加圧突起１５０、２２０が第１、２弾性部１６０、２３０の弾性力によって尿道を圧迫するようになる。
【００５５】
以上、本発明の望ましい実施例について詳しく説明したが、本発明の技術的範囲は上述した実施例に限定されず、特許請求の範囲によって解釈されるべきものである。その際、この技術分野で通常の知識を習得した者であれば、本発明の範囲から逸脱しないながらも多くの修正と変形が可能であることを考慮しなければならないものである。
【図１】
2019516478.tif 000003
【図２】
2019516478.tif 000004
【図３】
2019516478.tif 000005
【図４】
2019516478.tif 000006
【図５】
2019516478.tif 000007
【図６】
2019516478.tif 000008
【図７】
2019516478.tif 000009
【図８】
2019516478.tif 000010
【図９】
2019516478.tif 000011
【国際調査報告】
2019516478.tif 000012
2019516478.tif 000013
2019516478.tif 000014
2019516478.tif 000015